(57)【特許請求の範囲】
【請求項１】
導電性を有する塑性変形可能な端子部を備え、前記端子部の延出端がプラグ状に形成されている少なくとも1つの接触子と；
絶縁材料により形成され、前記接触子を支持し、背面に前記接触子の前記端子部が這うように延出している支持板と；
前記接触子のプラグ状の延出端が挿入され電気的に接続されて、前記支持板の前記背面に支持される第１のコネクタと；
電気回路又は電子回路や電源回路が構成されている基板に設けられた第２のコネクタと；
前記支持板の第１のコネクタと前記基板の第２のコネクタとを電気的に連結する柔軟で可撓性を有する電気連結部材と；
を具備する電気接続構造を備えたテレビ。
【発明の詳細な説明】
【０００１】
【発明の属する技術分野】
本発明は、支持板に支持された接触子と基板との間を電気的に接続する電気接続構造を備えたテレビに関する。
【０００２】
【従来の技術】
例えばテレビなどのＡＶ機器には、外部電気機器と電気接続する為の接触子の一種であるプラグが挿入嵌合される接触子の一種であるピンジャックが設けられている。ピンジャックは、支持板に貫通して支持されている。
【０００３】
例えば特開平９−２３２０４９号公報に示されている従来のピンジャック（接点）では、複数のピンジャック（接点）が支持板（ハウジング）に支持されており、それぞれの端子部（導線）がこれらピンジャック（接点）の背面側から延出している。夫々の端子部の延出端は、支持板（ハウジング）がメイン基板（印刷基板）上の所定の位置に固定される時にメイン基板の対応する穴に挿入されると伴にはんだ付けされている。支持板（ハウジング）においてこれらピンジャック（接点）は、上下に離れた位置で横方向に延出している複数の列に配置されており、夫々の列のピンジャック（接点）は隣りの列のピンジャック（接点）に対し横方向にずれている。ピンジャック（接点）に接続された端子部（導線）は相互に平行に延出していて、複数の端子部（導線）同士が互いに交差しないように配線されている。また、各端子部（導線）は、対応するピンジャック（接点）の背面側から対応するピンジャック（接点）の軸方向に延出した後にこの軸方向と直交する方向に曲げられている。すなわち、横方向から見ると端子部（導線）は支持板（ハウジング）に対しほぼＬ字状、もしくは段状に配線されている。
【０００４】
そして、ピンジャック（接点）を設計上ＡＶ機器のメイン基板（印刷基板）に対して移動可能にする必要がない場合には、上述したようにピンジャック（接点）を支持している支持板（ハウジング）をメイン基板（印刷基板）の所定の位置に固定したそのままの状態で使用される。
【０００５】
ピンジャック（接点）を設計上ＡＶ機器のメイン基板（印刷基板）に対してある程度自由に移動可能にする必要がある場合、メイン基板から支持板（ハウジング）が固定されている所定の位置やピンジャック（接点）の端子部（導線）が挿入固定される穴を含むサブ基板が分離される。これらメイン基板とサブ基板とには、それぞれコネクタが設けられており、これらコネクタは、例えばフラットケーブルのような加工電線などの電気連結部材を介して互いに接続される。
【０００６】
【特許文献１】
特開平９−２３２０４９。
【０００７】
【発明が解決しようとする課題】
ピンジャック（接点）を設計上ＡＶ機器のメイン基板（印刷基板）に対してある程度自由に移動可能にする必要がある上述したような場合、サブ基板に対してピンジャック（接点）の端子部の延出端を電気的に接続する作業が煩雑であるとともにサブ基板をメイン基板から分割する作業も煩雑であり、しかもサブ基板がピンジャック（接点）の配置に必要な空間の容積や電気接続の為に必要な基板の面積も大きくしている。
【０００８】
本発明の目的は、従来に比べ、製造が容易で且つ設置に要する空間容量を小さくすることができる、支持板に支持された接触子と基板との間を電気的に接続する電気接続構造を備えたテレビを提供することである。
【０００９】
【課題を解決するための手段】
上記課題を解決するために、本発明の電気接続構造を備えたテレビは：導電性を有する塑性変形可能な端子部を備え、前記端子部の延出端がプラグ状に形成されている少なくとも1つの接触子と；絶縁材料により形成され、前記接触子を支持し、背面に前記接触子の前記端子部が這うように延出している支持板と；前記接触子のプラグ状の延出端が挿入され電気的に接続されて、前記支持板の前記背面に支持される第１のコネクタと；電気回路又は電子回路や電源回路が構成されている基板に設けられた第２のコネクタと；前記支持板の第１のコネクタと前記基板の第２のコネクタとを電気的に連結する柔軟で可撓性を有している電気連結部材と；を具備している。
【００１０】
【発明の実施の形態】
図１は、本発明の一実施の形態に係る電気接続構造１０を採用したＡＶ機器の一種であるテレビ１２の概略的な分解斜視図である。図１を参照すると、テレビ１２は、分離可能に組み合わされている前部ハウジング１４ａ及び後部ハウジング１４ｂを備えている。
【００１１】
前部ハウジング１４ａ及び後部ハウジング１４ｂに囲まれた空間中には、電気接続構造１０，いわゆるブラウン管１６，図示しないスピーカ，その他の図示しない電気部品，そしてメイン基板１８が格納されている。ブラウン管１６，図示しないスピーカ，その他の図示しない電気部品，そしてメイン基板１８は上記空間中の所定の位置に着脱可能に固定されている。
【００１２】
メイン基板１８には、ブラウン管１６や図示しないスピーカやその他の図示しない電気部品を駆動する為の電気または電子回路や電源回路が構成されている。
【００１３】
前部ハウジング１４ａにはブラウン管窓２０が形成されていて、上記所定の位置のブラウン管１６の画像表示面がブラウン管窓２０を遮蔽している。後部ハウジング１４ｂには外部電気接続構造窓２２が形成されていて、外部電気接続構造窓遮蔽部材２４が外部電気接続構造窓２２を着脱可能に遮蔽している。
【００１４】
外部電気接続構造窓遮蔽部材２４には、図示されていない外部電気機器から伸ばされてきていて外部電気機器との電気的な接続に使用される図示しない接触子、この実施の形態ではプラグ、が挿入される接触子挿入孔２４ａが形成されている。この実施の形態では接触子挿入孔２４ａの数は複数であるが、もちろん１つであっても良い。
【００１５】
電気接続構造１０は、外部電気接続構造窓遮蔽部材２４の接触子挿入孔２４ａに挿入された上記図示されていない外部電気機器の上記図示しない接触子と着脱可能に連結され上記図示しない接触子と電気的に接続される接触子２６、この実施の形態ではピンジャック、を支持した支持板２８を備えている。支持板２８は絶縁材料により形成されていて、支持板２８には接触子２６と電気的に接続されている第１のコネクタ３０も支持されている。
【００１６】
支持板２８は外部電気接続構造窓遮蔽部材２４の内向き面の所定位置に着脱自在に固定されており、この結果として支持板２８上の接触子２６は外部電気接続構造窓遮蔽部材２４の接触子挿入孔２４ａに対応されている。
【００１７】
接触子２６の数は接触子挿入孔２４ａの数と同じであっても良いし、接触子挿入孔２４ａの数よりも多くても少なくても１つであっても良い。接触子挿入孔２４ａの数よりも多い接触子２６はこの実施の形態のテレビ１２では上記図示されていない外部電気機器との電気的な接続の為には使用できないだけである。
【００１８】
電気接続構造１０はまた、メイン基板１８の所定の位置に設けられた第２のコネクタ３２も備えている。電気接続構造１０はさらに、支持板２８に支持されている第１のコネクタ３０とメイン基板１８に設けられている第２のコネクタ３２とを電気的に連結する電気連結部材３４、この実施の形態では柔軟で可撓性を有しているいわゆるフラットケーブル、も備えている。
【００１９】
図２の（Ａ）は、図１中に示されている本発明の一実施の形態に係る電気接続構造１０を拡大して示す側面図であり、図２の（Ｂ）は図２の（Ａ）の電気接続構造１０の背面図である。これらの図からは、支持板２８には、前面（外部電気接続構造窓遮蔽部材２４に対向する面）から背面（外部電気接続構造窓遮蔽部材２４とは反対側の面）まで貫通している貫通孔２８ａ（図２の（Ｂ）参照）が形成されていることが分かる。貫通孔２８ａの数は支持板２８に支持される接触子２６の数に対応しており、この実施の形態では９個である。貫通孔２８ａには、接触子２６が嵌合または埋設されることにより支持板２８に強固に支持されている。第１のコネクタ３０は、支持板２８の背面において貫通孔２８ａ、即ち接触子２６、よりも下方に固定されていて支持されている。
【００２０】
接触子２６は、支持板２８の背面側の端面に端子部２６ａを有している。
【００２１】
接触子２６の端子部２６ａは支持板２８の背面に沿い、第１のコネクタ３０に向かい延出されている。端子部２６ａの延出端はプラグ状に形成されていて、第１のコネクタ３０に挿入されて電気的に接続されている。
【００２２】
従って、第１のコネクタ３０に対する接触子２６の端子部２６ａの延出端の電気的な接続の為に半田付けなどの煩雑な工程が不要であり、しかも半田の材料も不要となるので、上記半田付けに伴なう加工費及び材料費を無くすことが出来る。さらに、接触子２６の端子部２６ａの延出端及び第１のコネクタ３０の材料選定において、半田付けに対する耐熱温度を考慮する必要がなくなり、接触子２６の端子部２６ａの延出端及び第１のコネクタ３０の材料選定の幅が広がる。
【００２３】
この実施の形態においては、接触子２６の端子部２６ａは導電性を有している金属板または棒または塑性変形可能な導線により形成されていて、また支持板２８の背面側における接触子２６の端面が上記背面と略同一の面内に配置されているので、端子部２６ａは、図２の（Ａ）及び（Ｂ）に示すように、支持板２８の背面に隣接した状態で這うように延出しており、また、互いに交差しないようなパターンで配線されている。
【００２４】
したがって、前部ハウジング１４ａ及び後部ハウジング１４ｂに囲まれた上記空間中で接触子２６を支持した支持板２８の設置に要する容積を減少させることが出来る。このことは上記空間中における接触子２６を支持した支持板２８を伴なったメイン基板１８の実装密度を向上させることが出来ることを意味している。
【００２５】
さらに、接触子２６の為の第１のコネクタ３０が支持板２８上に直接支持されているので、前述の従来の電気接続構造において接触子と第１のコネクタとの間に分割基板を介在させる必要があった場合に比べ、分割基板の必要がなくなり、また分割基板上における接触子２６の端子部２６ａや第１のコネクタ３０の電気的な接続の為の加工が不要になるとともに、分割基板の配置に要する空間容量を削減することが出来る。
【００２６】
なお図１を参照した以上の説明ではテレビ１２の電源コードについて言及しなかったが、電源コードはメイン基板１８上の前述した電源回路から電気接続構造１０とは独立して前部ハウジング１４ａ及び後部ハウジング１４ｂに囲まれた上記空間の外側の外部空間に延出していることが出来るし、電気接続構造１０の接触子２６を上記電源コードとして機能させることも可能である。
【００２７】
本実施の形態においては、テレビ１２に使用された電気接続構造１０について説明したが、このような電気接続構造１０は、電気接続構造１０を必要とするＡＶ機器を含む全ての種類の電気機器に適用することができる。
【００２８】
また、本実施の形態では、電気接続構造１０の接触子２６は外部電気機器の接触子としてのプラグと電気的に着脱自在に接続されるピンジャックであったが、本願の発明の趣旨に従えば電気接続構造１０の接触子２６をプラグとし、外部電気機器の接触子としてピンジャックを使用することも出来る。本願の発明の趣旨に従えばさらに、電気接続構造１０の接触子２６とこれに対し着脱自在に電気的に接続される外部電気機器の接触子とは、相互に着脱自在に電気的に接続される如何なる種類のものであって良い。
【００２９】
さらに、電気接続構造１０の支持板２８により支持されている接触子２６の端子部２６ａの数や形状、配線パターンなどは、電気接続構造１０の使用状況に応じて自由に設定することが出来る。例えば、端子部２６ａは、少なくとも部分的に支持板２８に埋め込まれていてもよいし、全体が支持板２８に埋め込まれていてもよい。
【００３０】
また、接触子２６は、Ｄ端子、Ｄ−ｓｕｂ端子などの規格であってもよい。
【００３１】
さらに、電気連結部材３４は、この実施の形態では柔軟で可撓性を有しているいわゆるフラットケーブルを備えていたが、柔軟で可撓性を有している種々の形状の電気ケーブルを使用することも出来るし、塑性変形可能な硬さを有した導電性材料により形成されていることも出来る。
【００３２】
【発明の効果】
以上詳述したことから明らかなように、本発明に従った電気接続構造を備えたテレビによれば、従来に比べ、製造が容易で且つ設置に要する空間容量を小さくすることができる。
【図面の簡単な説明】
【図１】  図１は、本発明の一実施の形態に係る電気接続構造１０を採用したＡＶ機器の一種であるテレビ１２の概略的な分解斜視図である。
【図２】  図２の（Ａ）は、図１中に示されている本発明の一実施の形態に係る電気接続構造１０を拡大して示す側面図であり、図２の（Ｂ）は図２の（Ａ）の電気接続構造１０の背面図である。
【符号の説明】
１０…電気接続構造、１８…メイン基板、２６…接触子、２６ａ…端子部、２８…支持板、３０…第１のコネクタ、３２…第２のコネクタ、３４…電気連結部材
【図１】
0003697445.tif 000002
【図２】
0003697445.tif 000003